(57)【要約】【課題】  光ディスクの管理を容易にするラベル印刷機能を有したディスク記録再生装置を提供する。【解決手段】  テレビ放送の録画が可能なディスク記録再生装置において、ラベル印字機構を備え、ラベル印字処理の開始条件になった場合に、複数の印字内容の候補を一覧表示したタイトル候補表示枠４１、および、光ディスクにラベルを貼った状態のディスク画像４４の表示が含まれる印字設定画面４０を出力させ、操作入力部のキー操作によりタイトル候補表示枠４１に表示された複数の印字内容の中から何れかが選択された場合にディスク図４４内のラベル図４４ａに該印字内容を表示させ、このラベル図４４ａに表示されている内容でラベル印字機構によりラベル印字を実行させる構成とした。【選択図】        図４
2007317332.tif 000002
【特許請求の範囲】
【請求項１】
テレビ放送信号を入力して映像信号や音声信号を光ディスクにデジタル記録したり、光ディスクからデータを読み出して映像信号や音声信号に復号して出力が可能なディスク記録再生装置において、
出力される映像信号に文字や図柄の表示信号を挿入可能な表示処理手段と、
セットされたラベルに印字を行うラベル印字手段と、
外部から操作指令を入力するための複数のキーが設けられた操作入力部と、
各部の制御を行う制御手段とを備え、
前記制御手段は、
ラベル印字処理の開始条件になった場合に、複数の印字内容の候補を一覧表示したタイトル候補表示枠、および、光ディスクにラベルを貼った状態のディスク画像が含まれる印字設定画面の表示信号を前記表示処理手段により出力させ、
前記操作入力部のキー操作により前記タイトル候補表示枠に表示された複数の印字内容の中から何れかを選択可能とするとともに、何れかの印字内容が選択された場合に前記ディスク画像のラベルに該印字内容を表示させ、
このディスク画像のラベルに表示されている印字内容と同様のラベル印字を前記ラベル印字手段により実行させることが可能であることを特徴とするディスク記録再生装置。
【請求項２】
映像信号や音声信号を光ディスクにデジタル記録したり、光ディスクからデータを読み出して映像信号や音声信号に復号して出力が可能なディスク記録再生装置において、
出力される映像信号に文字や図柄の表示信号を挿入可能な表示処理手段と、
セットされたラベルに印字を行うラベル印字手段と、
外部から操作指令を入力するための複数のキーが設けられた操作入力部と、
各部の制御を行う制御手段とを備え、
前記制御手段は、
ラベル印字処理の開始条件になった場合に、ラベル印字の印字内容が選択可能な印字設定画面の表示信号を前記表示処理手段により出力させ、前記操作入力手段からの入力により前記印字設定画面にて印字内容が選択された後、前記ラベル印字手段により選択された印字内容のラベル印字を実行させることを特徴とするディスク記録再生装置。
【請求項３】
前記印字設定画面には、
複数の印字内容の候補を一覧表示したタイトル候補表示枠が設けられ、
前記操作入力部のキー操作により前記タイトル候補表示枠に表示された複数の印字内容の中から何れかを選択可能にされることを特徴とする請求項２記載のディスク記録再生装置。
【請求項４】
前記印字設定画面には、
光ディスクにラベルを貼った状態のディスク画像の表示がなされ、
印字内容が選択された場合に前記ディスク画像のラベルに該印字内容が表示されるように制御されることを特徴とする請求項２又は３に記載のディスク記録再生装置。
【請求項５】
前記印字設定画面にて選択可能な印字内容には、
挿入された光ディスクにコンテンツデータと該コンテンツデータに対応付けられた標題データとが記録されている場合に、当該標題データに基づいて前記コンテンツデータの標題が含まれることを特徴とする請求項２〜４の何れかに記載のディスク記録再生装置。
【請求項６】
前記印字設定画面にて選択可能な印字内容には、
挿入された光ディスクに放送番組の録画データを記録する場合に、当該番組放送に付随したデータ放送の受信、インターネットを介した番組情報データのダウンロード、或いは、ユーザからの番組タイトルデータの入力に基づいて、当該放送番組の標題が含まれることを特徴とする請求項２〜５の何れかに記載のディスク記録再生装置。
【請求項７】
前記印字設定画面にて選択可能な印字内容には、
挿入された光ディスクに１個又は複数の音楽コンテンツデータがデータフォルダにまとめられて記録されている場合に、該データフォルダのフォルダ名が含まれることを特徴とする請求項２〜６の何れかに記載のディスク記録再生装置。
【請求項８】
前記ラベル印字手段は、
光ディスクが装着されて該光ディスクの処理を行う本体部と着脱および通信可能な状態に接続されることを特徴とする請求項２〜７の何れかに記載のディスク記録再生装置。
【発明の詳細な説明】
【技術分野】
【０００１】
この発明は、例えばテレビ放送を受信して光ディスクに記録したりそれを再生したりすることの可能な光ディスク記録再生装置に関する。
【背景技術】
【０００２】
以前より、ＤＶＤレコーダなどテレビ放送の録画データをＤＶＤ（デジタル多用途ディスク）等の光ディスクに記録する装置が流通している。また、近年、ＨＤ−ＤＶＤ（高密度ＤＶＤ）やブルーレイディスクなど、青紫色レーザを用いてより大容量のデータ記録が可能にされた光ディスクが開発され、このような光ディスクにテレビ放送の録画データやその他諸々のコンテンツデータが記録されることが考えられる。
【０００３】
従来、録画データやその他諸々のコンテンツデータを光ディスクに記録する際には、ユーザが専用の油性ペン等で光ディスクの上面部に記録データの内容を記載するなどして、どの光ディスクに何のデータが記録されているのか表示するのが一般的であった。
【０００４】
また、本願発明に関連する従来技術として、次のような開示があった。例えば、特許文献１には、フレキシブルディスクやＣＤ（コンパクトディスク）を取扱えるパーソナルコンピュータにおいてこれらのディスクに記録されたファイル名をプリンタ出力するソフトウェア技術について開示されている。また、特許文献２には、音楽データをＭＤ（ミニディスク）に記録再生するミニディスク装置において、ＭＤに記録されている音楽のタイトル等をラベル印字する装置について開示されている。
【特許文献１】特開平１１−１６７４７７号公報
【特許文献２】再表ＷＯ９９／００３１０２号公報
【発明の開示】
【発明が解決しようとする課題】
【０００５】
光ディスクの上面部にタイトル等を記入して記録コンテンツの表示を行う場合、先ず、記録再生装置において記録するコンテンツデータを選択してデータ記録を開始させ、その後、データ記録に比較的長い時間を経てから光ディスクを取り出してタイトル等を記入することになるため、この比較的長いデータ記録の期間中、記入すべきタイトル等を忘れないように注意を要するなど、このような処理はユーザにとって非常に煩雑なものとなる。例えば、記録するコンテンツの番組名は忘れないとしても、何話目のコンテンツなのかとかコンテンツのサブタイトルなどは忘れやすいものである。
【０００６】
従って、ユーザはデータ記録の前に記入すべきタイトル等をメモ書きしておいたり、データ記録後に一度再生してタイトル等を確認してから記入を行うといった二度手間を要すことが多い。
【０００７】
また、このような大容量の光ディスクには、種々のパターンの種々のコンテンツデータがいっしょくたに記録されることが考えられる。例えば、番組情報データの付随された放送番組のコンテンツデータ、番組情報データの付随されていない放送番組のコンテンツデータ、音楽データ、その他諸々のコンテンツデータ等が記録されることが考えられる。そのため、特許文献１や２に開示のシステムのように、予めラベルに印字する内容が特定されている構成では、光ディスクに記録される様々なパターンの種々のコンテンツデータやユーザの好みなどに柔軟に対応することが出来ない。
【０００８】
さらに、ＤＶＤレコーダ等の家電は、パーソナルコンピュータなどと違ってキーボードやマウスと云った自由度の高い入力手段を有しておらず、主にリモコン等に設けられたカーソルキーや決定キーを使ってユーザからの入力を受け付ける構成であるため、自由度の高い編集を必要とするものではかえってユーザの負担になるという課題もある。
【０００９】
この発明の目的は、コンテンツデータを記録した光ディスクの管理を容易にするラベル印刷機能を有するディスク記録再生装置を提供することにある。
【００１０】
さらに、光ディスクに記録するコンテンツデータの種類やユーザの好み等にも柔軟に対応することができ、さらに、印字までの操作も簡単に行えるディスク記録再生装置のラベル印刷機能を提供することにある。
【課題を解決するための手段】
【００１１】
本発明は、上記目的を達成するため、例えばテレビ放送信号や外部入力端子からの入力に基づく映像信号や音声信号を光ディスクにデジタル記録したり、光ディスクからデータを読み出して映像信号や音声信号に復号して出力が可能なディスク記録再生装置において、出力される映像信号に文字や図柄の表示信号を挿入可能な表示処理手段（例えばＯＳＤ：オンスクリーンディスプレー処理回路）と、セットされたラベルに印字を行うラベル印字手段と、外部から操作指令を入力するための複数のキーが設けられた操作入力部（例えばリモートコントローラ）と、各部の制御を行う制御手段とを備え、前記制御手段は、ラベル印字処理の開始条件になった場合に、ラベル印字の印字内容が選択可能な印字設定画面の表示信号を前記表示処理手段により出力させ、前記操作入力手段からの入力により前記印字設定画面にて印字内容が選択された後、前記ラベル印字手段により選択された印字内容のラベル印字を実行させる構成とした。
【００１２】
このような手段によれば、印字したラベルを光ディスクやそのケースなどに貼ることで、光ディスクに記録したデータ内容を簡単に確認でき、光ディスクの管理が容易なものとなる。また、印字設定画面を見ながらラベル印字する内容を選択する構成なので、様々な場合に対応して複数の印字内容の候補をユーザに提供し、簡単な操作により種々のコンテンツデータやユーザの好みに応じたラベル印字を行うことが出来る。
【００１３】
具体的には、前記印字設定画面には、複数の印字内容の候補を一覧表示したタイトル候補表示枠が設けられ、前記操作入力部のキー操作により前記タイトル候補表示枠に表示された複数の印字内容の中から何れかを選択可能なように構成すると良い。
【００１４】
また、前記印字設定画面には、光ディスクにラベルを貼った状態のディスク画像の表示がなされ、印字内容が選択された場合に前記ディスク画像のラベルに該印字内容が表示されるように制御されるように構成すると良い。
【００１５】
このような構成により、例えばカーソルキーや決定キーなどと云った少ないキー操作によって印字内容を選択することができ、さらに、光ディスクに印字ラベルを貼り付けた実際の状態も確認できるので、簡単に且つ間違いのない編集処理を行うことが出来る。
【００１６】
さらに具体的には、前記印字設定画面にて選択可能な印字内容には、挿入された光ディスクにコンテンツデータと該コンテンツデータに対応付けられた標題データとが記録されている場合に、当該標題データに基づいて前記コンテンツデータの標題を含めるようにすると良い。
【００１７】
また、挿入された光ディスクに放送番組の録画データを記録する場合に、当該番組放送に付随したデータ放送の受信、インターネットを介した番組情報データのダウンロード、或いは、ユーザからの番組タイトルデータの入力に基づいて、当該放送番組の標題を含めるようにすると良い。
【００１８】
また、挿入された光ディスクに１個又は複数の音楽コンテンツデータがデータフォルダにまとめられて記録されている場合に、該データフォルダのフォルダ名を含めるようにすると良い。
【００１９】
このような構成により、光ディスクに様々なパターンで記録される種々のコンテンツデータに柔軟に対応して、光ディスクの管理に有用なラベル印字を行うことが出来る。
【００２０】
また具体的には、前記ラベル印字手段は、光ディスクが装着されて該光ディスクの処理を行う本体部と着脱および通信可能な状態に接続される構成にしても良い。
【００２１】
このような構成にすることで、ラベル印字機能をオプションとして、それを必要とするユーザにのみ提供し、不必要とするユーザには提供を省くことが出来る。
【発明の効果】
【００２２】
以上説明したように、本発明に従うと、ラベル印字機能により、光ディスクに記録する内容を表記した印字ラベルを簡単に作成できるので、このラベルを光ディスクやケースに付して光ディスクの管理を容易にすることが出来る。
【００２３】
また、ラベルに印字する内容はユーザが印字設定画面で選択することが出来るので、記録されるコンテンツデータの種類やファイルパターン並びにユーザの好み等に柔軟に対応させることが出来るし、印字までの処理も簡単な操作で行うことが出来るという効果がある。
【発明を実施するための最良の形態】
【００２４】
以下、本発明の実施の形態を図面に基づいて説明する。
図１は、この実施の形態のディスク記録再生装置の内部構成を示すブロック図、図２は、ディスク記録再生装置の外観およびラベル印字部を示した斜視図である。
【００２５】
この実施の形態のディスク記録再生装置１は、テレビ放送を受信してその映像信号や音声信号を所定のデジタル形式にエンコードしてハードディスクや光ディスクに記録したり、ハードディスクに記録した録画データを光ディスクに移したり、これらの録画データをデコードして外部のディスプレーに出力して映像と音声の出力を行う装置である。
【００２６】
このディスク記録再生装置１は、図１に示すように、アンテナＡＮから受信したテレビ放送信号を複数チャンネルの中から選択的に受信するチューナ部１１と、テレビ放送信号の復調処理を行う信号処理部１２と、映像信号や音声信号を例えばＭＰＥＧ２映像データやデジタル音声データに符号化するエンコーダ１３と、映像データや音声データの入出力タイミングをバッファメモリ１４ａを介して制御するバッファ制御部１４と、映像データや音声データを復号するデコーダ１５と、映像信号に文字や図柄の表示データを上書きするＯＳＤ処理部１６と、映像信号をテレビ受像機用の信号に変換する映像信号処理部１７と、音声信号を外部出力用に増幅等の処理を行う音声信号処理部１８とを備えている。
【００２７】
さらに、このディスク記録再生装置１には、符号化されたコンテンツデータ（映像データと音声データ）を格納したりこのコンテンツデータを読み出してバッファ制御部１４に出力可能なハードディスク１９と、バッファ制御部１４を介してコンテンツデータを光ディスクＤ１に書き込んだり読み出したりする光ディスク用のドライブ処理部２０と、チューナ部１１からＯＳＤ処理部１６まで並びにドライブ処理部２０やハードディスク１９の統括的な制御を行うシステム制御部２１と、装置本体の前面部に設けれたセグメント表示部２５や操作パネル２６との間で信号の入出力を行ってユーザインターフェース等の制御処理をするサブ制御部２２と、例えばラインサーマルヘッドなどの印字ヘッド３１、ラベル紙Ｌの紙送りを行うプラテンローラ３２等の駆動部３２Ａ、これらの駆動制御を行う印字制御部３３からなるラベル印字機構３０等を備えている。
【００２８】
上記構成のうちシステム制御部２１およびサブ制御部２２によりラベル印字の制御処理を行う制御手段が構成される。システム制御部２１とサブ制御部２２には、それぞれ制御プログラムを格納したメモリや、それを実行するＣＰＵ（中央処理装置）などが搭載されている。
【００２９】
また、上記の操作パネル２６にはリモコン信号の受光部２６ａが設けられ、リモートコントローラ２８（以下リモコンと記す）からの操作信号を受信するようになっている。リモコン２８には、種々の操作キーとともに、上下左右のカーソルキーや決定キーが設けられている。
【００３０】
図２に示すように、装置本体の前面部には、光ディスクを挿入するディスクトレイ４と、上述したセグメント表示部２５や操作パネル２６等が設けられている。さらに、装置本体の前面部には、ラベル印字機構３０からラベル紙Ｌの排出が行われるラベル排出口３６が設けられている。ラベル印字機構３０は、印字ヘッド３１やプラテンローラ３２を有し、例えばセットされたロール状のラベル紙Ｌをプラテンローラ３２等の駆動により、プラテンローラ３２と印字ヘッド３１との間を通過させ、且つ、この通過中に印字ヘッド３１が駆動することでラベル紙Ｌに印字を行うようになっている。
【００３１】
ラベル紙Ｌは、例えば、一方の面に印字面、裏面に粘着面の形成された所定形状の粘着ラベルが、連続する裏紙に所定間隔ごとに貼り付けられた形態になっている。そして、この裏紙に、予め所定間隔で切取り線が設けられ、この切取り線で裏紙を切り離すことで粘着ラベルを１つずつ分離できるようになっている。粘着ラベルは光ディスクの上面部やディスクケースに貼り付け可能な大きさに形成されている。
【００３２】
次に、上記構成のディスク記録再生装置１により実行されるラベル印字処理について説明する。
図３は、この実施形態のディスク記録再生装置により外部接続されたディスプレーに表示されるラベル印字設定画面の一例を示す画像図である。
【００３３】
この実施の形態のディスク記録再生装置では、例えば、リモコン２８を操作して、メニュー画面からラベル印字処理の項目を選択することで、ラベル印字処理を開始することが出来る。
【００３４】
ラベル印字処理が開始されると、先ず、図３に示すような印字設定画面４０が外部接続されたディスプレーに表示される。印字設定画面４０においては、ラベルに印字する内容の候補を一覧表示したタイトル候補表示枠４１が画面の左側に設けられ、光ディスクにラベルを貼った状態を表わしたディスク画像４４が画面の右側に表示される。また、この印字設定画面４０には、ラベルに印字する文字の配置変更等の簡単な編集操作を行うための編集メニュー枠４７や、印字を実行させるＯＫボタン４８や印字設定処理を中止する取消ボタン４９なども設けられている。
【００３５】
上記のタイトル候補表示枠４１には、様々な場合に対応して様々な印字内容の候補が表示される。例えば、以前の録画データが記録されている光ディスクＤ１を録画データの追記や書き換えのためにディスクトレイ４にセットした場合には、これら以前の録画データに付随して記録されている録画番組のタイトルデータ（番組名、放送回数、サブタイトルなど）が、印字内容の候補として表示される。このようなタイトルデータは、例えば、テレビ放送に付随して送信されるデータ放送から取得して録画データと対応づけて記録されたり、或いは、インターネット接続機能を有する録画再生装置であれば番組欄データをインターネットの特定サイトからダウンロードし、放送番組を録画する際にこの番組欄データから録画データに対応するタイトルデータを抽出して記録されたりする。また、放送録画や録画予約時にユーザにソフトウェアキーボードを使用してタイトル等を入力させることでタイトルデータを生成し、このタイトルデータを録画データに関連づけて光ディスクＤ１に記録しておくことも出来る。
【００３６】
また、上記のタイトル候補表示枠４１には、その他の印字内容の候補も表示される。例えば、光ディスクＤ１に他の装置で記録した音楽データが記録されている場合には、その音楽データのフォルダ名が、印字内容の候補として表示される。音楽データは、音楽アルバムごとにフォルダにまとめられて記録され、フォルダにアルバム名などが表記されることが多いので、それに対応させたものである。
【００３７】
また、上記のタイトル候補表示枠４１には、光ディスクＤ１への録画予約のセット後や、リアルタイムでの録画操作後、或いは、ハードディスク１９に記録されている録画データを光ディスクＤ１に移動させる設定後には、これら放送番組や録画番組に関連付けられているタイトルデータが、印字内容の候補として表示される。
【００３８】
なお、印字内容の候補が多くて、タイトル候補表示枠４１に収まらない場合には、上下キーにより表示枠４１の内容をスクロールして全部の印字内容の候補が閲覧できるようになっている。
【００３９】
ディスク画像４４には、ディスク上に貼られた状態のラベルを表わしたラベル図４４ａが表示され、このラベル図４４ａに、上記のタイトル候補表示枠４１で選択された印字内容が実際の印字パターンで表示されるようになっている。
【００４０】
編集メニュー枠４７には、例えば、「左寄せ」、「中央」、「右寄せ」など、ラベルに印字する文字の配列を操作する編集項目が表示され、ユーザがリモコン２８の操作によりこれらが選択可能な状態になっている。これらの編集項目を選択することで、上記のラベル図４４ａに表示される印字パターンが編集内容に応じて変更されるようになっている。
【００４１】
なお、この編集メニュー枠４７の項目を増やして、印字行の移動（行送り）や、文字の大きさの変更（文字大、文字中、文字小など）、ラベル印字の行数の変更など、簡単な選択操作で実現可能な編集操作を同様に行えるようにしても良い。また、ラベルの貼る位置を光ディスクの上下左右に変更するような編集操作も行えるようにしても良い。この場合、例えば、「左」を選択したときには、ラベル図４４ａをディスクの左側に縦向きで表示し、印字文字を縦書きに変更するなどすると良い。
【００４２】
上記のような印字設定画面４０が表示されたら、ユーザはリモコン２８の上下キーと決定キーとを用いて、タイトル候補表示枠４１の中から所望の印字内容を選択する。すなわち、カーソル枠５１を上下に移動させて所望の印字内容に合わせたら決定キーを押することでこの印字内容を選択することが出来る。
【００４３】
そして、このように印字内容が選択されたら、その印字内容が画面右側のラベル図４４ａ上に実際の印字パターンで表示される。このような印字内容の選択は、ラベル図４４ａの行が埋まるまで、何度でも繰り返し行うことが出来る。
【００４４】
さらに、上記の操作中、ユーザがリモコン２８の左右キーを操作すると、カーソル枠５１をタイトル候補表示枠４１から編集メニュー枠４７に移したり、ＯＫボタン４８や取消ボタン４９に移して、これらの選択を行うことが可能とされる。
【００４５】
そして、このような印字内容の選択や簡単な編集操作を行ったら、ＯＫボタン４８を選択することで、ディスク画像４４のラベル図４４ａに表示された内容で実際のラベルの印字処理が印字機構３０により実行され、印字後のラベルが排出口３６から排出される。ユーザは、このラベルを光ディスクに貼り付けることで、光ディスクに記録したコンテンツデータの管理を容易に行うことが出来る。
【００４６】
以下、上記のラベル印字処理に係る制御処理について、図４〜図６のフローチャートに沿って説明する。
ラベル印字処理に係る制御処理には、タイトル候補表示枠４１に表示される候補データを更新する処理と、ユーザからの操作を受け付けてラベル印字の編集や実行を行う印字設定処理とがある。また、候補データの更新処理は、光ディスクＤ１の挿入動作に基づいて開始されるものと、光ディスクＤ１に録画データを記録する設定をしたときに実行されるものとがある。
【００４７】
図４には、ディスク挿入時にサブ制御部２２のＣＰＵにより実行される候補データ更新処理のフローチャートを示す。
ディスクトレイ４の開閉動作により光ディスクＤ１の挿入が検知されると、図４の候補データ更新処理が開始され、先ず、ステップＳ１において、サブ制御部２２のメモリ内に記憶されている以前の印字タイトルの候補データの削除を行う。新たに挿入された光ディスクＤ１に対応して候補データを更新するためである。
【００４８】
次いで、システム制御部２１を介してドライブ処理部２０を動作させ光ディスクＤ１のファイル情報を取得して何のファイルが記録されているかを確認する（ステップＳ２）。そして、このファイルの中に以前に記録されている録画データやそれに付随して記録されているタイトルデータの有無を確認する（ステップＳ３）。その結果、タイトルデータがあれば、それを読み込んで番組名やサブタイトルなどのデータを候補データとして追加し、メモリ内に格納する（ステップＳ４）。
【００４９】
さらに、光ディスクＤ１のファイルに音楽データを格納したデータフォルダが有るか無いかを確認し（ステップＳ５）、あればそのフォルダ名を候補データとして追加してメモリ内に格納する（ステップＳ６）。そして、この候補データの更新処理を終了する。
【００５０】
図５には、光ディスクに録画データの記録設定を行ったときにサブ制御部２２のＣＰＵにより実行される候補データ更新処理のフローチャートを示す。
リモコン２８の操作等により、光ディスクＤ１への録画予約操作、光ディスクＤ１へのリアルタイムでの録画操作、ハードディスク１９から光ディスクＤ１への録画データの移動設定が行われると、この処理が開始される。そして、ステップＳ１において、これらの録画データに付随したタイトルデータの有無を判別する。すなわち、ダウンロードした番組欄データやハードディスク１９内に対応するタイトルデータがあるか無いかを確認する。そして、これらがあれば、そのタイトルデータを候補データに追加して（ステップＳ１２）、この候補データ更新処理を終了する。
【００５１】
以上のような候補データの更新処理により、ユーザが印字設定画面４０を呼び出したとき直ぐに、光ディスクＤ１に対応した印字内容の候補データがタイトル候補表示枠４１に一覧表示されるようになっている。
【００５２】
図６には、サブ制御部２２のＣＰＵにより実行されるラベル印字の編集や実行を行う印字設定処理のフローチャートを示す。
この印字設定処理は、例えば、ユーザがリモコン２８の操作によりメニュー画面からラベル印字処理の項目を選択することで開始される。この処理が開始されたら、先ず、システム制御部２１を介してＯＳＤ処理部１６にコマンドを発行し、図３に示したような印字設定画面４０の表示出力を行わせる（ステップＳ２１）。さらに、印字タイトルの候補データをメモリから読み出して出力し、タイトル候補表示枠４１にそれを表示させる（ステップＳ２２）。
【００５３】
そして、このような表示を行ったら、リモコン２８からの操作入力を待って操作内容に応じた分岐処理を行う（ステップＳ２３）。すなわち、リモコン２８の上下左右キーの操作信号や決定キーの操作信号があれば、それに応じてカーソルを移動させたり、選択されたタイトル表示をラベル図４４ａに行ったり、編集メニュー枠４７の選択に応じてラベル図４４ａのタイトル表示の配置を変えるなどの表示処理を行う（ステップＳ２４）。
【００５４】
また、ステップＳ２３の分岐処理でＯＫボタン４８の選択操作が行われたら、ステップＳ２５に移行して、印字機構３０の制御部３３に印字データを送信してラベル図４４ａの印字内容で印字処理を実行させる。さらに、選択され印字処理された印字内容を候補データの配列の中で上位に並び替えるなどの更新処理を行い（ステップＳ２６）、その後、印字設定画面４０の表示出力を終了させて（ステップＳ２７）、この印字設定処理を終了する。
【００５５】
また、ステップＳ２３の分岐処理で取消ボタン４９の選択操作が行われたら、そのままステップＳ２７にジャンプして、印字設定画面４０の表示出力を終了させて、この印字設定処理を終了する。
【００５６】
以上のような印字設定処理により、ユーザは簡単な操作で好みのラベル印字を行うことが出来る。
【００５７】
以上のように、この実施の形態のディスク記録再生装置１によれば、光ディスクＤ１に対応した印字ラベルを簡単な操作で作成することが出来るので、それにより光ディスクのデータ管理を容易に行うことが出来る。また、ラベル印字の設定時には、光ディスクに印字ラベルを貼り付けた実際の状態も確認できるので、簡単に且つ間違いのないラベル作成を行うことが出来る。
【００５８】
また、印字設定画面には、ディスクトレイ４に挿入されている光ディスクＤ１に合った複数の印字内容のタイトル候補が一覧表示され、そこから所望のタイトルをユーザに選択させる構成なので、光ディスクＤ１に様々なパターンで種々のコンテンツデータが記録される場合でも、それに柔軟に対応して、光ディスクＤ１の管理に役立つ有用なラベル作成を行うことが出来る。
【００５９】
なお、本発明は、上記実施の形態に限られるものではなく、様々な変更が可能である。例えば、タイトル候補表示枠４１に表示される候補データは、実施の形態で示したものに限られず、種々のデータを含めても良い。また、タイトル候補表示枠４１の表示形態や印字設定画面４０の画面構成も、図３の形態に限られず、様々な変更が可能である。
【００６０】
また、ラベル印字設定処理の開始条件として、上記実施の形態では、メニュー表示からラベル印字処理の項目が設定された場合を例示したが、その他、光ディスクへの録画の開始時や録画終了時、或いは、予約録画の設定時を開始条件として、これらのときに自動的にラベル印字設定処理を開始させるようにしても良い。
【００６１】
また、上記実施の形態では、印字機構３０を装置本体に内蔵した構成を例示したが、ケーブル接続や無線或いは赤外線を用いた通信接続により印字機構３０を外付け装置として装置本体と分離させるようにしても良い。
【図面の簡単な説明】
【００６２】
【図１】本発明の実施の形態のディスク記録再生装置の内部構成を示すブロック図である。
【図２】ディスク記録再生装置の外観構成およびラベル印字部を示した斜視図である。
【図３】ディスク記録再生装置により表示されるラベル印字設定画面の一例を示す画像図である。
【図４】ディスク挿入時にサブ制御部のＣＰＵにより実行される候補データ更新処理の処理手順を示すフローチャートである。
【図５】光ディスクに録画データの記録設定を行ったときにサブ制御部のＣＰＵにより実行される候補データ更新処理の処理手順を示すフローチャートである。
【図６】サブ制御部のＣＰＵにより実行される印字設定処理の処理手順を示すフローチャートである。
【符号の説明】
【００６３】
１      ディスク記録再生装置
Ｄ１    光ディスク
１６    ＯＳＤ処理部
１９    ハードディスク
２０    ドライブ処理部
２１    システム制御部
２２    サブ制御部
２８    リモコン
３０    印字機構
３１    印字ヘッド
３２    プラテンローラ
３３    印字制御部
３６    ラベル排出口
４０    印字設定画面
４１    タイトル候補表示枠
４４    ディスク画像
４４ａ  ラベル図
４７    編集メニュー表示枠
【図１】
2007317332.tif 000003
【図２】
2007317332.tif 000004
【図３】
2007317332.tif 000005
【図４】
2007317332.tif 000006
【図５】
2007317332.tif 000007
【図６】
2007317332.tif 000008